(57)【要約】【課題】  間仕切壁の一部にドアとしてあるいはキャビネット等の収納庫の開閉扉として用いることができ、二枚のパネル体を屈曲可能に連結するリンク機構が簡単で安価に構成できるとともに、パネル体の開閉軌跡が安定で、ガタツキのない開閉を実現することができ、しかも二枚のパネル体の連接部に引手を設けても指を挟む心配のない引手付き折戸装置を提供する。【解決手段】  二枚のパネル体２，３の連接縁６，７同士を近接配置するとともに、該連接縁に沿った方向に１つの回動軸芯８を有するヒンジ４にて互に屈曲可能に連結して折戸１を形成し、該折戸を開放する際に山折れする側であって、一方のパネル体の連接縁に沿って回動軸芯を中心とする半円筒状の第一指掛部９を有する引手５を設けた。【選択図】        図１
2005290735.tif 000002
【特許請求の範囲】
【請求項１】
二枚のパネル体の連接縁同士を近接配置するとともに、該連接縁に沿った方向に１つの回動軸芯を有するヒンジにて互に屈曲可能に連結して折戸を形成し、該折戸を開放する際に山折れする側であって、一方のパネル体の連接縁に沿って前記回動軸芯を中心とする半円筒状の第一指掛部を有する引手を設けたことを特徴とする引手付き折戸装置。
【請求項２】
前記第一指掛部の外面と他方のパネル体の連接縁の端縁との間の隙間を、前記折戸の屈曲伸展動作の全軌跡において、指が入らない略一定の間隔に設定してなる請求項１記載の引手付き折戸装置。
【請求項３】
前記ヒンジの回動軸芯を、各パネル体の裏面より後方位置に設定してなる請求項１又は２記載の引手付き折戸装置。
【請求項４】
一方の前記パネル体の連接縁の一部を切欠して指を差し入れる開口部を形成するとともに、該開口部の内奥部に前記第一指掛部を有する引手を取付けてなる請求項１〜３何れかに記載の引手付き折戸装置。
【請求項５】
前記第一指掛部と対向する前記パネル体の縁部で、前記開口部の内部に第二指掛部を凹設してなる請求項４記載の引手付き折戸装置。
【発明の詳細な説明】
【技術分野】
【０００１】
本発明は、引手付き折戸装置に係わり、更に詳しくは間仕切壁の一部にドアとしてあるいはキャビネット等の収納庫の開閉扉として用いる引手付き折戸装置に関するものである。
【背景技術】
【０００２】
従来から、間仕切壁の一部に設けるドアや、キャビネット等の収納庫の開口部に設ける開閉扉として折戸を用いることは公知である。この折戸は、二枚のパネル体の連接縁同士を近接配置し、その連接縁に沿った方向に回動軸芯を有するヒンジにて互に屈曲可能に連結して構成し、二枚のパネル体が直線状になって開口部を閉止した状態と、略１８０度回動屈曲して二枚のパネル体が重合状態になって開口部を開放した状態とをとるようになっている。通常、折戸は二枚のパネル体の背面側に前記ヒンジとして蝶番を設けて連結して構成し、両パネル体の連接縁が手前に突出して山折れ屈曲する側に引手を設けているが、折戸の屈曲伸展動作時に両パネル体の両連接縁の隙間が変化し、特に折戸を閉じる際に両連接縁の隙間が小さくなって指を挟む危険性があるので、引手は連接縁から離れた位置に設けることが一般的である。
【０００３】
特許文献１には、二枚のパネル体の相対応する側端面に装着した目地板材の一端部にヒンジ金具の両端部を回動可能に連結し、ヒンジ金具で両パネル体の隙間を塞ぎ、各目地板材の端面を傾斜させることにより、パネル体を直線状にしたときに、両目地板材でＶ字状に開いた空間を形成して指を挟まないようにした折戸装置が記載されている。しかし、この特許文献１の折戸装置は、指を挟まないようにパネル体の連接部に十分に大きな幅のＶ字溝を設けなければならず、パネル体を直線状にして空間部を閉じた際には、このＶ字溝が正面に現れて、外観性を損なうことになる。また、ヒンジ金具の両端をそれぞれのパネル体の目地板材に枢着して２点回動軸を有するリンク構造であるので、パネル体の開閉軌跡が不安定になることが容易に推測できる。更に、把手を可動側のパネル体の遊端寄りに設けている構造は、本発明が目的とするところではない。
【０００４】
また、特許文献２には、左右一対のパネル体の間に細幅の中間板を配し、中間板の上下端面にそれぞれパネル体の上下端面に対向するように設けられた連結板の両端部を、それぞれパネル体の上下端面に枢軸にて水平揺動自在に連結し、パネル体の中間板側の側面が、枢軸の中心又はその近傍を中心とする円弧面となされており、更に前記中間板の左右端部の前部にパネル体の円弧面に沿う円弧面を有する左右の張出部が設けられ、前記中間板の前面に把手が設けられている構造の折戸装置が開示されている。つまり、二枚のパネル体の連接部に把手を設けた折戸装置が開示されているが、ここに開示された折戸装置は、二枚のパネル体の連接縁間に中間板を有しているので、パネル体の間の目地部に中間板により外形縦線が生じ、特に他の固定パネルと連設する場合には、目地部の統一性がなくなって間仕切壁としての意匠性を損なうことになるばかりでなく、部品点数が増大してコスト高となる。その上、前述のものと同様に、二枚のパネル体が２点回動軸を有するリンク機構で連結されているので、パネル体の開閉軌跡が不安定になる問題を内在している。
【特許文献１】特許第３２４０５０８号公報
【特許文献２】特開平９−１２５８３２号公報
【発明の開示】
【発明が解決しようとする課題】
【０００５】
そこで、本発明が前述の状況に鑑み、解決しようとするところは、間仕切壁の一部にドアとしてあるいはキャビネット等の収納庫の開閉扉として用いる引手付き折戸装置であって、二枚のパネル体を屈曲可能に連結するリンク機構が簡単で安価に構成できるとともに、パネル体の開閉軌跡が安定で、ガタツキのない開閉を実現することができ、しかも二枚のパネル体の連接部に引手を設けても指を挟む心配のない引手付き折戸装置を提供する点にある。
【課題を解決するための手段】
【０００６】
本発明は、前述の課題解決のために、二枚のパネル体の連接縁同士を近接配置するとともに、該連接縁に沿った方向に１つの回動軸芯を有するヒンジにて互に屈曲可能に連結して折戸を形成し、該折戸を開放する際に山折れする側であって、一方のパネル体の連接縁に沿って前記回動軸芯を中心とする半円筒状の第一指掛部を有する引手を設けた引手付き折戸装置を構成した（請求項１）。
【０００７】
ここで、前記第一指掛部の外面と他方のパネル体の連接縁の端縁との間の隙間を、前記折戸の屈曲伸展動作の全軌跡において、指が入らない略一定の間隔に設定してなることが好ましい（請求項２）。
【０００８】
また、前記ヒンジの回動軸芯を、各パネル体の裏面より後方位置に設定してなるのである（請求項３）。
【０００９】
そして、一方の前記パネル体の連接縁の一部を切欠して指を差し入れる開口部を形成するとともに、該開口部の内奥部に前記第一指掛部を有する引手を取付けてなるのである（請求項４）。
【００１０】
更に、前記第一指掛部と対向する前記パネル体の縁部で、前記開口部の内部に第二指掛部を凹設してなることがより好ましい（請求項５）。
【発明の効果】
【００１１】
以上にしてなる請求項１に係る発明の引手付き折戸装置は、二枚のパネル体の連接縁同士を、１つの回動軸芯を有するヒンジにて互に屈曲可能に連結して折戸を形成するので、リンク機構が簡単で安価に構成できるとともに、パネル体の開閉軌跡が安定で、ガタツキのない開閉を実現することができ、しかも折戸を開放する際に山折れする側であって、一方のパネル体の連接縁に沿って前記回動軸芯を中心とする半円筒状の第一指掛部を有する引手を設けたので、折戸の開閉時に第一指掛部とパネル体の連接縁との相対的間隔を一定に保つことができるので、指を挟む心配がないのである。
【００１２】
請求項２によれば、第一指掛部の外面と他方のパネル体の連接縁の端縁との間の隙間を、前記折戸の屈曲伸展動作の全軌跡において、指が入らない略一定の間隔に設定してなるので、指を挟む危険性が全くないのである。
【００１３】
請求項３によれば、前記ヒンジの回動軸芯を、各パネル体の裏面より後方位置に設定すれば、パネル体の連接縁の構造を単純化できるとともに、ヒンジ機構も簡単且つ安価なものを採用することができる。
【００１４】
請求項４によれば、一方のパネル体は、引手を設ける連接縁の一部を切欠して指を差し入れる開口部を形成し、他方のパネル体には何ら加工を施さないので、外観的にシンプルになり、他の固定パネルと共に間仕切壁を構成する場合に、両パネル体間の目地部を、固定パネルの目地部を略同じにすることができるので、パネル体自体の外観性の共通化と相俟って間仕切壁全体の外観性の統一を図ることができ、更に開口部の内奥部に第一指掛部を有する引手を取付けるので、パネル体の表面に突出物がなく、不意に衣服に引っ掛かったりすることがないのである。
【００１５】
請求項５によれば、第一指掛部と対向する前記パネル体の縁部で、開口部の内部に第二指掛部を凹設すると、引手を右側のパネル体の左側連接縁に設けた場合には、右手の指を第一指掛部に掛け、左手の指を第二指掛部に掛けることができるので、左右どちらの手でも折戸を開閉操作することができる。
【発明を実施するための最良の形態】
【００１６】
次に、添付図面に示した実施形態に基づき、本発明を更に詳細に説明する。図１〜図３は本発明に係る引手付き折戸装置の第１実施形態を示し、図４は第２実施形態を示し、図中符号１は折戸、２は右側のパネル体、３は左側のパネル体、４はヒンジ、５は引手をそれぞれ示している。
【００１７】
本発明係る引手付き折戸装置は、図１及び図２に示すように、二枚のパネル体２，３の連接縁６，７同士を近接配置するとともに、該連接縁６，７に沿った方向に１つの回動軸芯８を有するヒンジ４にて互に屈曲可能に連結して折戸１を形成し、該折戸１を開放する際に山折れする側であって、一方のパネル体２の連接縁６に沿って前記回動軸芯８を中心とする半円筒状の第一指掛部９を有する引手５を設けたものである。
【００１８】
図１（ａ）は、二枚のパネル体２，３を直線状に開き、間仕切壁の出入口やキャビネット等の収納庫の開放部を閉鎖した状態に相当し、図１（ｂ）は前記引手５を手前に引いて両パネル体２，３を前記ヒンジ４の回動軸芯８を中心として鈍角に屈曲させた状態を示し、図２（ａ）は更に両パネル体２，３を鋭角に屈曲させた状態を示し、図２（ｂ）は両パネル体２，３を互いの裏面が重合するまで折畳んだ状態で、間仕切壁の出入口やキャビネット等の収納庫の開放部を開放した状態に相当している。この図１（ａ）から図２（ｂ）までの一連の動作が折戸１の屈曲動作であり、その逆の動作が折戸１の伸展動作である。
【００１９】
ここで、前記折戸１は、前記第一指掛部９の外面と他方のパネル体３の連接縁７の端縁との間の隙間を、当該折戸１の屈曲伸展動作の全軌跡において、指が入らない略一定の間隔を維持するように設定している。
【００２０】
更に詳しくは、前記パネル体２は、スチース製のものであり、表面板１０の連接縁６側を裏面側へ略直角に折曲して端縁板１１を形成し、前記表面板１０の裏面で前記端縁板１１に沿って補強部材１２を固着している。この補強部材１２は、中央部に裏面側へ突出した断面略コ字形の突台１３を有し、その両側に外側へ開くように屈曲形成した固定板１４，１４を前記表面板１０の裏面に溶接して取付けている。尚、外側の前記固定板１４は、前記端縁板１１の内面に当接するように位置決めされ、前記突台１３の高さより前記端縁板１１の高さを若干低く設定している。また、前記パネル体３は、前記パネル体２と同様の構造であるので、同一構造には同一符号を付して、その説明は省略する。
【００２１】
前記ヒンジ４は、本実施形態では１つの回動軸芯８を有する通常の蝶番を採用し、前記回動軸芯８を、各パネル体２，３の裏面、即ち補強部材１２の突台１３の面より後方位置に設定し、両ウイング１５，１５を前記引手５を設けない上下適所の前記突台１３にネジ止め若しくは溶接などの適宜な固定手段で取付けている。
【００２２】
そして、一方の前記パネル体２の連接縁６の一部、本実施形態では前記表面板１０及び補強部材１２の外側固定板１４の一部とそれに連続する端縁板１１を切欠して指を差し入れる開口部１６を形成するとともに、該開口部１６の内奥部に前記第一指掛部９を有する引手５を取付けている。ここで、本第１実施形態における引手５は、一端部に前記第一指掛部９となる半円筒状部分とそれに連続して前記開口部１６の裏面側を覆い隠す傾斜板とを有するカバー部１７を形成し、他端部に前記突台１３の裏面に接合する取付板１８を形成し、該取付板１８を前記突台１３の裏面にネジ１９で取付けている。
【００２３】
更に、本実施形態では、前記開口部１６より内方の表面板１０の裏側に、前記補強部材１２の固定板１４の残余部分が存在し、前記突台１３の側面及び前記引手５のカバー部１７とで指を差し入れる空間部２０を形成し、もって前記第一指掛部９と対向する前記パネル体２の縁部で、前記開口部１６の内部に第二指掛部２１を凹設しているのである。
【００２４】
本実施形態のように、前記引手５を右側のパネル体２の左側連接縁６に設けた場合には、右手の指を第一指掛部９に掛け、左手の指を第二指掛部２１に掛けることができるので、左右どちらの手でも折戸を開閉操作することができる。また、前記第一指掛部９となる引手５のカバー部１７の外面と右側の前記パネル体３の連接縁７の端縁板１１との隙間は、指が入らない略一定の間隔、実用的には数ｍｍ以内に設定している。前記折戸１の屈曲伸展動作時に、両パネル体２，３の相対的角度が前記ヒンジ４の回動軸芯８を中心として変化するが、両パネル体２，３はヒンジ４の両ウイング１５，１５に固定され、また前記カバー部１７の外面は回動軸芯８を中心とする半円筒状であるので、図１（ａ）〜図２（ｂ）に示すどのような屈曲状態においても前記カバー部１７の外面と前記連接縁７の端縁板１１との隙間は略一定になるのである。尚、前記引手５を左側のパネル体３の連接縁７に設けても同様である。
【００２５】
前記両パネル体２，３の連接縁６，７の間は目地部２２となり、その中間部後方に前記ヒンジ４の回動軸芯８が平行に位置している。この目地部２２は、前記引手５を設けた部分ではカバー部１７が存在するので常に目隠し状態となっているが、その他の部分は何も設けなければ隙間が生じ、該目地部２２を通して内外透視されたり、音が漏れたりするので、図３に示すように、本実施形態では可撓性のある素材で形成した閉塞部材２３を目地部２２に設けている。
【００２６】
前記閉塞部材２３は、両端部の保持部２４，２５を硬質合成樹脂、中間部の遮蔽板２６を可撓性のある軟質合成樹脂で二色成形して作成している。一方の前記保持部２４は、断面略コ字形に成形し、前記パネル体３の連接縁７の裏側で、前記端縁板１１と前記補強部材１２の突台１３の側面と外側固定板１４とで形成された後方開放の凹溝２７に移動不能に嵌合するとともに、前記ヒンジ４のウイング１５で押えて保持している。他方の前記保持部２５は、断面略Ｌ字形に成形し、前記パネル体２の連接縁６の裏側で、前記端縁板１１と前記補強部材１２の突台１３の側面と外側固定板１４とで形成された後方開放の凹溝２８に横方向移動可能に嵌合するとともに、前記ヒンジ４のウイング１５で押えて保持している。前記遮蔽板２６は両保持部２４，２５にわたって成形され、前記ヒンジ４の前面側に位置し、前記目地部２２を閉鎖している。
【００２７】
図３（ａ）の状態から（ｂ）の状態まで、両パネル板２，３を屈曲させると、前記閉塞部材２３の遮蔽板２６は前記ヒンジ４の回動軸芯８の外周を覆いながら断面Ｕ字状に屈曲するとともに、保持部２５は引っ張られて前記凹溝２８内を端縁板１１側へ移動するが、どのような屈曲角度でも目地部２２は遮蔽板２６で閉鎖されている。
【００２８】
次に、図４に基づいて、本発明の引手付き折戸装置の第２実施形態を簡単に説明する。本実施形態は、引手５の取付構造が異なるのみで、その他の構成は前述の実施形態と同様である。本実施形態の引手５は、前記取付板１８は存在せず、前記カバー部１７の端部に、前記パネル体２の補強部材１２の突台１３の側面と外側固定板１４とに接合する断面略Ｌ字形の取付部２９を形成するとともに、該取付部２９の端縁に前記開口部１６の開口縁を覆う突縁３０を形成したものである。そして、前記引手５の取付部２９を前記補強部材１２の突台１３の側面と外側固定板１４とに接合した状態で、ネジ３１にて突台１３の側面に取付けている。この場合、前記取付部２９が前記第二指掛部２１を兼ねることになる。その他の構成は、前記同様であるので、同一構造には同一符号を付して、その説明は省略する。
【実施例１】
【００２９】
次に本発明の引手付き折戸装置の間仕切壁に適用した実施例を図５〜図９に基づき簡単に説明する。図５は間仕切壁を示す正面図であり、図６はその要部の横断平面図であり、図中符号１は折戸、３２はスライドパネル、３３は固定パネルをそれぞれ示している。また、図７及び図８はそれぞれ折戸１及びスライドパネル３２の縦断側面図である。前記折戸１のパネル体２，３、スライドパネル３２及び固定パネル３３は、天井Ｓ近傍から床面Ｆ近傍にわたる、例えばスチール製等のパネル体であり、折戸１、スライドパネル３２及び固定パネル３３の上部が天レール３４の前面を部分的に覆うように配置されている。本実施例では、壁面Ｗと固定パネル３３の間の空間を、二対の折戸１，１とその中間に配置した二枚のスライドパネル３２，３２で開閉可能となした間仕切壁を構成している。
【００３０】
ここで、前記折戸１は、一方のパネル体２の端部を、壁面Ｗ又は固定パネル３３に沿って立設された支柱３５にヒンジ３６，…によって回動可能に取付けられ、他方のパネル体３の遊端上端を前記天レール３４に沿って横設した吊下用ガイドレール３７にランナー３８によって移動可能に吊下げている。また、スライドパネル３２，３２も上部両側に取付けたランナー３８，３８で前記吊下用ガイドレール３７の前面を覆うように、吊下用ガイドレール３７より支持される前吊り構造となっている。
【００３１】
左側の折戸１の左側には固定パネル３３，…が配設されている。固定パネル３３，…は、天井Ｓに固定され水平方向に延びる天レール３４と床面Ｆ上に固定され水平方向に延びる地レール３９との間に多数の支柱３５，３５を立設させ、これらに囲まれる矩形状の空間を塞ぐように装着されている。尚、前記折戸１，１及びスライドパネル３２，３２下の床面Ｆには、地レール３９を無くしている。また、折戸１，１及びスライドパネル３２，３２が前記前吊り構造であり、それぞれのパネル間の目地部４０，…と折戸１の目地部２２を同じ間隔に設定しているので、図５のように、固定パネル３３，…と折戸１，１及びスライドパネル３２，３２とにより構成される間仕切壁全体の外観の連続性及び統一性が保たれている。
【００３２】
図５及び図６に示すように、右側の折戸１は、右側パネル体２の端部を壁面Ｗに沿って固定した支柱３５にヒンジ３６，…を介して鉛直回動軸まわりに回動可能に連結している。また、左側の折戸１の左側パネル体３の端部を、固定パネル３３を支持する支柱３５に、同様にヒンジ３６，…を介して鉛直回動軸まわりに回動可能に連結している。そして、右側の折戸１の左側パネル体３の遊端側の上部後面にランナー３８が取付けられており、該ランナー３８が吊下用ガイドレール３７に支持されて該吊下用ガイドレール３７に沿って水平方向に移動可能に構成されているため、引手５を持って手前に引けば折戸１を開けることができる。また、同様に折戸１を閉じることも容易に行うことができる。
【００３３】
さらに、図８に示すように、スライドパネル３２の後面下部に、下方開放した凹溝を形成すべく振れ止め用カバー４１を取付け、床面Ｆに固定された振れ止め用ローラー４２を前記カバー４１で形成された凹溝内で案内することにより、前記スライドパネル３２，３２の吊下用ガイドレール３７に沿う水平方向の移動の容易化及び安定化を図っている。
【００３４】
図５及び図７に示すように、折戸１，１下部には、床面Ｆ上に地レール及びガイドレール等の支持部材がないため、折戸１，１を開けた開口下部の床面Ｆには台車及び人等の通行の邪魔になる障害物がない構成となっている。したがって、開閉可能な間仕切壁をオフィス等における設備の点検又は収納等を行うスペースの区画用として使用した場合に、該スペースへの台車等による機材の搬入及び搬出等の作業をよりスムーズにかつ安全に行うことができる。尚、必要に応じて、折戸１，１と床面Ｆとの間にはマグネットキャッチ等の支持手段を設けることもできる。
【００３５】
前記折戸１の遊動側のパネル体３の後面へ取付けるランナー３８は、吊下用ガイドレール３７に係合し該吊下用ガイドレール３７に沿って移動可能なローラーを備えたランナー本体４３、折戸１のパネル体３の裏面に直接又は間接に取付けるランナーベース４４、ランナー本体４３とランナーベース４４とを吊下用ガイドレール３７下部で鉛直回動軸Ａまわりに回動可能に連結する連結体４５により構成されている。
【００３６】
図９は、前記折戸１の動作説明用平面図である。ランナーベース４４はパネル体３の遊端から延出させて該パネル体３の後面に取付けられ、ランナーベース４４とランナー本体４３との鉛直回動軸Ａの位置は、ランナーベース４４が取付けられたパネル体３の遊端からヒンジ４側と反対方向に所定距離だけ離れた位置となっている。従って、図９のように折戸１を折り畳む動作（矢印Ｃ１ないしＣ４参照。）によっても、ランナーベース４４が取付けられたパネル体３の遊端と吊下用ガイドレール３７の前面とが干渉しないように構成されている。
【００３７】
図５、図６及び図８に示すように、スライドパネル３２は、後面上部にランナー３８，３８が取付けられており、該ランナー３８が吊下用ガイドレール３７に水平方向に移動可能となっているので、ガイドレール３７に沿って水平方向に移動させることができる。また、床面Ｆには振れ止め用ローラー４２が固定されるのみであり、このローラー４２は振れ止め用カバー４１により覆われて外部からは見えないため、安全上及び意匠上も好ましい構成であるといえる。更に、スライドパネル３２を開けた状態において、その開口下部には振れ止め等の支持部材がないため、スライドパネル３２，３２を開けた開口下部の床面Ｆには台車及び人等の通行の邪魔になる障害物がない構成となっている。
【実施例２】
【００３８】
次に、図１０に基づいて本発明の実施例２を説明する。前記折戸１をキャビネット本体４６の前面開放部に設け、該折戸１によって前面開放部を開閉するものである。前記同様に、前記折戸１の一方のパネル体２の端部をヒンジ４７，…によって回動可能に取付け、更に図示しないが他方のパネル体３の遊端上下部に鉛直回転軸を有するローラー又はスライダーを突設し、前面開放部の上下框部に設けた上下レールに横方向スライド可能に係合させて案内している。
【図面の簡単な説明】
【００３９】
【図１】本発明の第１実施形態に係る折戸装置の要部を示し、（ａ）は二枚のパネル体が直線状の閉じた状態を示す横断面図、（ｂ）は二枚のパネル体を鈍角に屈曲した状態の横断面図である。
【図２】同じく本発明に係る折戸装置の要部を示し、（ａ）は二枚のパネル体を鋭角に屈曲した状態の横断面図、（ｂ）は二枚のパネル体を互いの裏面が重合するまで折畳んだ状態の横断面図である。
【図３】二枚のパネル体の間の目地部の構造を示し、（ａ）は二枚のパネル体が直線状の閉じた状態を示す横断面図、（ｂ）は二枚のパネル体を互いの裏面が重合するまで折畳んだ状態の横断面図である。
【図４】本発明の第２実施形態に係る折戸装置の要部を示し、（ａ）は二枚のパネル体が直線状の閉じた状態を示す横断面図、（ｂ）は二枚のパネル体を互いの裏面が重合するまで折畳んだ状態の横断面図である。
【図５】本発明に係る折戸装置を間仕切壁に適用した実施例１を示す簡略正面図である。
【図６】同じく要部の横断面図である。
【図７】同じく間仕切壁の折戸を設けた部分の縦断面図である。
【図８】同じく間仕切壁のスライドパネルを設けた部分の縦断面図である。
【図９】同じく間仕切壁における折戸の動作説明用平面図である。
【図１０】本発明に係る折戸装置をキャビネットに適用した実施例２を示す簡略斜視図である。
【符号の説明】
【００４０】
１  折戸                ２  パネル体
３  パネル体            ４  ヒンジ
５  引手                ６  連接縁
７  連接縁              ８  回動軸芯
９  第一指掛部          １０  表面板
１１  端縁板            １２  補強部材
１３  突台              １４  固定板
１５  ウイング          １６  開口部
１７  カバー部          １８  取付板
１９  ネジ              ２０  空間部
２１  第二指掛部        ２２  目地部
２３  閉塞部材          ２４  保持部
２５  保持部            ２６  遮蔽板
２７  凹溝              ２８  凹溝
２９  取付部            ３０  突縁
３１  ネジ              ３２  スライドパネル
３３  固定パネル        ３４  天レール
３６  ヒンジ            ３７  吊下用ガイドレール
３８  ランナー          ３９  地レール
４０  目地部            ４１  カバー
４２  ローラー          ４３  ランナー本体
４４  ランナーベース    ４５  連結体
４６  キャビネット本体  ４７  ヒンジ
Ｆ  床面                Ｓ  天井
Ｗ  壁面
【図１】
2005290735.tif 000003
【図２】
2005290735.tif 000004
【図３】
2005290735.tif 000005
【図４】
2005290735.tif 000006
【図５】
2005290735.tif 000007
【図６】
2005290735.tif 000008
【図７】
2005290735.tif 000009
【図８】
2005290735.tif 000010
【図９】
2005290735.tif 000011
【図１０】
2005290735.tif 000012